(57)【特許請求の範囲】
【請求項１】
ベランダ通路の室外側端部に設けられた堰壁の上に沿って支柱を一定間隔に立設し、これら支柱の上端部に手摺りを架け渡すと共に、この手摺りの室内側には手摺りの全長に亘って、補助手摺り枠が、手摺りより低い位置で、支柱に取付金具を介して、その上端部の円弧状係合部を、補助手摺り枠の円筒状本体の横側面部に係合するようにして取り付けられ、
補助手摺り枠は、下側部が全長に亘って開口した円筒状本体と、この円筒状本体内に一体に形成された断面略下向きコ字状のコ字枠部とからなり、円筒状本体の開口部と下向きコ字状のコ字枠部とによって照明装置取付用凹溝を形成しており、
この照明装置取付用凹溝にＬＥＤ照明装置が嵌挿され、該ＬＥＤ照明装置は、前記照明装置取付用凹溝に嵌合固定される金属形材からなる本体ケースと、この本体ケース内にその長手方向に一定間隔に取り付けられ、夫々の定位置に複数のＬＥＤを実装した複数のＬＥＤ基板と、これらＬＥＤ基板を電気的に接続する接続配線と、この接続配線の両端部に設けられたジョイントコネクターとを備えてなり、
前記本体ケースは、両側壁部と、両側壁部の下端部側どうしをつなぐ連結壁部と、連結壁部の下面の両側端部にＬＥＤ基板の両側端部が嵌合するように形成された両側一対の嵌合凹部と、両側壁部の夫々上側端部に夫々外向きに突設されていて、照明装置取付用凹溝の対向壁面の夫々奥部に設けられた係嵌凹部に係嵌する両側一対の係嵌突起からなるもので、連結壁部の下面と両側一対の嵌合凹部との間にＬＥＤ基板を嵌合保持して、ＬＥＤ基板の下面に実装したＬＥＤを両側一対の嵌合凹部の間から発光できるようにしたことを特徴とするＬＥＤ照明装置。
【発明の詳細な説明】
【技術分野】
【０００１】
本発明は、光源にＬＥＤを用いたＬＥＤ照明装置に関し、例えば、ベランダの手摺り等の建築部材に取り付けて使用されるＬＥＤ照明装置に関する。
【背景技術】
【０００２】
従来のＬＥＤ照明装置として、例えば下記特許文献１に記載されたようなものがある。これは、透光ケースと、この透光ケースに内に保持されるようにその内部に収容され、複数のＬＥＤがその面上に実装されるＬＥＤ基板とからなるもので、透光ケースの両端部には従来の蛍光灯用照明装置の受口に挿入して電気的に接続するための端子を備えている。
【０００３】
特許文献１に開示されているようなＬＥＤ照明装置は、従来用いられていた蛍光灯照明具に代わるもので、外部構造的には蛍光ランプと同様であって、透光ケースの両端部に設けてある端子を既設の蛍光灯用照明装置の受口に接続させるようにしたものであるから、例えばベランダの手摺りの全長に亘って複数のＬＥＤ照明装置を一列状に取り付けようとすれば、手摺りに蛍光灯用照明装置の受口を設置する必要があり、その受口を設置するには一定のスペースを必要とするため、受口を設置した領域では照明が分断される、という不都合があるうえ、施工に非常に手間がかかるという問題が考えられる。
【先行技術文献】
【特許文献】
【０００４】
【特許文献１】特開２０１０−９７７６３号公報
【発明の概要】
【発明が解決しようとする課題】
【０００５】
本発明は、上記の問題点に鑑み、照明装置を一列状に連続的に設置できると共に、施工が簡単に行えるＬＥＤ照明装置を提供することを目的とする。
【課題を解決するための手段】
【０００６】
上記課題を解決するための手段を、後述する実施形態の参照符号を付して説明すると、請求項１に係る発明は、ベランダ通路の室外側端部に設けられた堰壁Ｓの上に沿って支柱１を一定間隔に立設し、これら支柱１・・・の上端部に手摺り２を架け渡すと共に、この手摺り２の室内側には手摺り２の全長に亘って、補助手摺り枠３が、手摺り２より低い位置で、支柱１に取付金具４を介して、その上端部の円弧状係合部４ｄを、補助手摺り枠３の円筒状本体５の横側面部に係合するようにして取り付けられ、
補助手摺り枠３は、下側部が全長に亘って開口した円筒状本体５と、この円筒状本体５３内に一体に形成された断面略下向きコ字状のコ字枠部６とからなり、円筒状本体５の開口部５ａと下向きコ字状のコ字枠部６とによって照明装置取付用凹溝７を形成しており、
この照明装置取付用凹溝７にＬＥＤ照明装置８が嵌挿され、該ＬＥＤ照明装置８は、前記照明装置取付用凹溝７に嵌合固定される金属形材からなる本体ケース９と、この本体ケース９内にその長手方向に一定間隔に取り付けられ、夫々の定位置に複数のＬＥＤ１０を実装した複数のＬＥＤ基板１１と、これらＬＥＤ基板１１を電気的に接続する接続配線１２と、この接続配線１２の両端部に設けられたジョイントコネクター１３，１４とを備えてなり、
前記本体ケース９は、両側壁部１５，１６と、両側壁部１５，１６の下端部側どうしをつなぐ連結壁部１７と、連結壁部１７の下面の両側端部にＬＥＤ基板１１の両側端部が嵌合するように形成された両側一対の嵌合凹部１８，１９と、両側壁部１５，１６の夫々上側端部に夫々外向きに突設されていて、照明装置取付用凹溝７の対向壁面７ａ，７ｂの夫々奥部に設けられた係嵌凹部２０，２１に係嵌する両側一対の係嵌突起２２，２３がからなるもので、連結壁部１７の下面と両側一対の嵌合凹部１８，１９との間にＬＥＤ基板１１を嵌合保持して、ＬＥＤ基板１１の下面に実装したＬＥＤ１０を両側一対の嵌合凹部１８，１９の間から発光できるようにしたことを特徴とする。
【発明の効果】
【０００７】
上記解決手段による発明の効果を、後述する実施形態の参照符号を付して説明すると、請求項１に係る発明のＬＥＤ照明装置８は、ベランダ通路の室外側端部に設けられた堰壁Ｓの上に沿って支柱１を一定間隔に立設し、これら支柱１・・・の上端部に手摺り５０を架け渡すと共に、この手摺り２の室内側には手摺り２の全長に亘って、補助手摺り枠３が、手摺り２より低い位置で、支柱１に取付金具４を介して、その上端部の円弧状係合部４ｄを、補助手摺り枠３の円筒状本体５の横側面部に係合するようにして取り付けられてなるため、既設の手摺り２を利用して、その室内側に取付金具４を介して補助手摺り枠３を設けるだけで、ベランダ通路を照明するＬＥＤ照明装置８を簡単容易に設けることができ、極めて実用的である。
又、本発明のＬＥＤ照明装置８は、補助手摺り枠３に設けられた照明装置取付用凹溝７に嵌合固定される金属形材からなる本体ケース９と、この本体ケース９内にその長手方向に一定間隔に取り付けられ、夫々の定位置に複数のＬＥＤ１０を実装した複数のＬＥＤ基板１１と、これらＬＥＤ基板１１を電気的に接続する接続配線１２と、この接続配線１２の両端部に設けられたジョイントコネクター１３，１４とを備えたＬＥＤユニットからなるため、ＬＥＤ照明装置８の設置にあたって、このＬＥＤユニットからなるＬＥＤ照明装置８を工場生産し、設置現場において、補助手摺り枠３に設けた照明装置取付用凹溝７にワンタッチで嵌め込むことができ、また現場での設置長さに応じてＬＥＤ照明装置８を所要本数使用すると共に、本体ケース９を適当長さにカットして、夫々の両端部のあるジョイントコネクター１３，１４を接続すればよいから、簡単な施工によってＬＥＤ照明装置８を一列状に連続的に設置することができる。
更に又、ＬＥＤ照明装置８のＬＥＤ１０から発光される光は、補助手摺り枠３の下面側にその長手方向全長にわたって形成された照明装置取付用凹溝７に嵌挿保持され、ＬＥＤ照明装置８のＬＥＤ１０から発光される光を遮るものがないため、その下方のベランダ通路Ｔを有効に照らすことができる。
【０００８】
又、本発明のＬＥＤ照明装置８によれば、本体ケース９は、両側壁部１５，１６と、両側壁部１５，１６の下端部側どうしをつなぐ連結壁部１７と、連結壁部１７の下面の両側端部にＬＥＤ基板１１の両側端部が嵌合するように形成された両側一対の嵌合凹部１８，１９と、両側壁部１５，１６の夫々上側端部に夫々外向きに突設されていて、照明装置取付用凹溝７の対向壁面７ａ，７ｂの夫々奥部に設けられた係嵌凹部２０，２１に係嵌する両側一対の係嵌突起２２，２３がからなるもので、連結壁部１７の下面と両側一対の嵌合凹部１８，１９との間にＬＥＤ基板１１を嵌合保持して、ＬＥＤ基板１１の下面に実装したＬＥＤ１０を両側一対の嵌合凹部１８，１９の間から発光できるようにしたから、本体ケース９の両側壁部１５，１６を補助手摺り枠３の照明装置取付用凹溝７に押し込むことにより、係嵌突起２２，２３が壁面７ａ，７ｂの奥部に設けられた係嵌凹部２０，２１に係嵌して、本体ケース９を、凹溝７に対し抜け出し不能に簡単に固定することができる。
【０００９】
更に又、本発明のよれば、本体ケース９の連結壁部１７が両側壁部１５，１６と直交するように形成される場合には、連結壁部１７の下面に沿って取り付けられるＬＥＤ基板１１も水平に位置し、このＬＥＤ基板１１の下面に配設されるＬＥＤ１０も水平に位置するから、ＬＥＤ１０から発光される光は、ほぼ垂直下向きに有効に投射されることになる。
【図面の簡単な説明】
【００１０】
【図１】本発明に係るＬＥＤ照明装置を備えた手摺りを室内側から見た正面図である。
【図２】図１ののＡ−Ａ線拡大断面図である。
【図３】図２の要部を示すもので、ＬＥＤ照明装置を照明装置取付用凹溝から取り外した状態の断面図である。
【図４】(a) は図２の要部の拡大断面図、(b) は(a) に示すＬＥＤユニットを照明装置取付用凹溝に嵌め込もうとしている状態を示す拡大斜視図である。
【図５】ＬＥＤ照明装置を示す拡大斜視図である。
【発明を実施するための形態】
【００１１】
以下に本発明の好適な実施形態を図面にもとづいて説明すると、図１は、手摺り２に補助手摺り枠３を設けた状態を室内側から見た正面図で、この補助手摺り枠３に本発明に係るＬＥＤ照明装置８が装備されている。この手摺り２は、ベランダ通路の室外側端部に設けられた堰壁Ｓの上に沿って支柱１を一定間隔に立設し、これら支柱１・・・の上端部に手摺り２を架け渡すと共に、隣り合う支柱１，１の下端部どうしを下枠２４によって連結し、隣り合う両支柱１，１と手摺り２と下枠２４とで形成される区画４内に縦桟２６を格子状に配設してなるもので、この手摺り２の室内側には手摺り２の全長に亘って、補助手摺り枠３が、手摺り２より低い位置で、支柱１に取り付けられた取付金具４によって固定されている。
【００１２】
補助手摺り枠３は、図３から分かるように、アルミ押出形材からなるもので、下側部が全長に亘って開口した円筒状本体５と、この円筒状本体５内に一体に形成された断面略下向きコ字状のコ字枠部６とからなり、円筒状本体５３の開口部５３ａと下向きコ字状のコ字枠部６とによって照明装置取付用凹溝７を形成しており、この照明装置取付用凹溝７にＬＥＤ照明装置８が嵌合固定されるようになっている。
【００１３】
取付金具４は、側面視が図２、図３に示すような略々Ｎ字状のアルミ製取付金具で、横断面略々Ｎ字状のアルミ押出形材を一定幅に切断して形成されたものであって、図２に示すように下部側の取付板部４ａと、取付板部４ａの上端から下向き傾斜状に延びた中間板部４ｂと、中間板部４ｂ上端から上向きに延びた支持板部４ｃとからなり、支持板部４ｃの上部側には、補助手摺り枠３の円筒状本体５の横側面部に係合する円弧状係合部４ｄが形成されている。
【００１４】
従って、ＬＥＤ照明装置８を補助手摺り枠３に装備するにあたり、上記取付金具４によって補助手摺り枠３を支柱１に固定するには、例えば、取付金具４の上部側円弧状係合部４ｄを、補助手摺り枠３の横側面所要部位（支柱１と対向する部位）に係合させて、ビス２７で固定した後、補助手摺り枠３を所定高さに保持した状態で、各取付金具４の下部側取付板部４ａをビス２８で各支柱１の室内側側面の所要高さ位置に固定する。
【００１５】
上記のようにして補助手摺り枠３を手摺り２の室内側所定高さ位置に固定した後、ＬＥＤ照明装置８を、図３に示すような状態から、この補助手摺り枠３の照明装置取付用凹溝７に嵌め込んで固定する。ＬＥＤ照明装置８を照明装置取付用凹溝７に嵌め込む時は、図４に示すように、両側壁部１５，１６上端部の両係嵌突起２２，２３が外法幅が照明装置取付用凹溝７の対向壁面７ａ，７ｂの内法幅よりも僅かに大きいので、両側壁部１５，１６の上端部側を対向方向に押圧変形させた状態で、照明装置取付用凹溝７に突入させて、係嵌突起２２，２３が凹溝７の壁面７ａ，７ｂに添わせつつ押し込むことにより、係嵌突起２２，２３が壁面７ａ，７ｂの奥部に設けられた係嵌凹部２０，２１に係嵌し、それによって本体ケース９は、凹溝７に対し抜け出し不能に固定される。
【００１６】
この場合も、所要本数のＬＥＤ照明装置８を、補助手摺り枠３の照明装置取付用凹溝７に対し、この凹溝７の一端部側から順次嵌め込んでいき、補助手摺り枠３の全長に亘ってその照明装置取付用凹溝７内で本体ケース９の端面どうしが当接し合う状態に取り付ける。この取付けの際、各ＬＥＤ照明装置８は、図５に示すようなジョイントコネクターのオス端子１３とメス端子１４とを、本体ケース９内で互いに他のＬＥＤ照明装置８のジョイントコネクターのオス端子１３とメス端子１４とに凹凸嵌合することよって相互に電気的に接続し、補助手摺り枠３の全長に形成されている照明装置取付用凹溝７に亘って一連のＬＥＤ照明装置８・・・を間断なく連続的に取り付ける。
【００１７】
図２は、上記のようにして補助手摺り枠３に装備したＬＥＤ照明装置８の使用状態を示したもので、これによると、手摺り２よりも低い位置からＬＥＤ１０の光がランダ通路Ｔの室外寄り部分を照らすことができる。また、補助手摺り枠３を手摺り２の支柱１に固定している取付金具４は、その上部側円弧状係合部４ｄが補助手摺り枠５１の横側部に係合固定されているから、ＬＥＤ照明装置８のＬＥＤ１０から発光される光は、取付金具４によって部分的にも遮られることがなく、補助手摺り枠３の全長に亘ってその下方へ有効に照らすことができる。
【００１８】
本発明に係るＬＥＤ照明装置８は、図４の(a) ，(b) 及び図５に示すように、補助手摺り３の下面側にその長手方向に沿って凹設された照明装置取付用凹溝７に嵌合固定され、所定長さに切断可能なアルミ押出形材からなる本体ケースと、この本体ケース９内にその長手方向に一定間隔に保持されて、夫々複数のＬＥＤ１０を定位置に実装した複数のＬＥＤ基板１１と、これらＬＥＤ基板１１を電気的に接続する接続配線１２と、この接続配線１２の両端部に設けられたジョイントコネクター１３，１４とを備えたＬＥＤユニットからなるもので、図示しない電源用電線から前記接続配線１２により給電され、図示しない制御装置によって点灯／消灯制御されるようになっている。
【００１９】
前記本体ケース９は、アルミ押出形材からなるもので、図４の(a) ，(b) 及び図５に示すように、両側壁部１５，１６と、両側壁部１５，１６の下端部側どうしをつなぐ連結壁部１７と、この連結壁部１７の下面側の両側端部にＬＥＤ基板１１の両側端部が嵌合するように対向形成された両側一対の嵌合凹部１８，１９と、両側壁部１５，１６の夫々上端部に夫々外向きに突設されていて、前記照明装置取付用凹溝７の対向壁面７ａ，７ｂの夫々奥部に設けられた係嵌凹部２０，２１に係嵌する両側一対の係嵌突起２２，２３によって構成され、連結壁部１７の下面と両側一対の嵌合凹部１８，１９との間にＬＥＤ基板１１を嵌合保持して、このＬＥＤ基板１１の下面側に取り付けられたＬＥＤ１０を両側一対の嵌合凹部１８，１９の間から下方へ向けて発光できるようになっている。尚、両側壁部１５，１６は、図４の(b) に示すように、上端部に形成された両係嵌突起２２，２３が外法幅Ｗａが照明装置取付用凹溝７の対向壁面７ａ，７ｂの内法幅Ｗｂよりも僅かに大きくなるように形成されている。
【００２０】
前記ＬＥＤ照明装置８をＬＥＤユニットとして組み立てるには、各ＬＥＤ基板１１の表面側所定位置に、例えば２個のＬＥＤ１０（図５参照）と１個の抵抗（図示省略）とを実装して、この基板１１の裏面側にプリントされている配線（図示省略）と接続する。そして、本体ケース１２を図４に示すように逆様に引っ繰り返した状態で、この本体ケース１２の一端側から、所要数個のＬＥＤ基板１１・・・を、連結壁部１７と両側一対の嵌合凹部１８，１９との間に挿入嵌合して、これらのＬＥＤ基板１１・・・を同図に示すように所定間隔に位置決めし、連結壁部１７の背面側に逃がした接続配線１２によってこれらのＬＥＤ基板１１・・・を電気的に接続する。また、図５に示すように、接続配線１２の両端部には夫々、ジョイントコネクターのオス端子１３とメス端子１４を取り付ける。また、ＬＥＤ基板１１を配設した本体ケース９の連結壁部１７の下部側には、図４の(a) に少しだけ示すように、シール材２９を、ＬＥＤ基板１１が埋め尽くされると共にＬＥＤ１０の表面のみが下向きに露出する状態となるように装填して、防水処理を施す。このシール材２９としては、液状又は半液状の硬化性シリコン樹脂等を使用する。この硬化性シリコン樹脂を使用する場合、シール材２９はＬＥＤ基板１１を連結壁部１７の下部側に固定するための保持部材としても利用可能である。
【００２１】
上記のようにしてユニットに組み立てられるＬＥＤ照明装置８は、例えば図１に示す手摺りの隣り合う支柱１，１間のピッチに相当する長さに形成されていて、所要本数のＬＥＤ照明装置８を、補助手摺り３の下面側の照明装置取付用凹溝７に対して、この凹溝７の一端部側から順次、図４の(b) に示すような状態で嵌め込んでいき、補助手摺り３の全長に亘ってその照明装置取付用凹溝７内で本体ケース９の端面どうしが当接し合う状態に取り付ける。この取付けの際に、各ＬＥＤ照明装置８は、図５に示すようなジョイントコネクターのオス端子１３とメス端子１４とを、本体ケース９内で互いに他のＬＥＤ照明装置７のジョイントコネクターのオス端子１３とメス端子１４とに凹凸嵌合することよって相互に電気的に接続し、補助手摺り３の全長に形成されている照明装置取付用凹溝７に亘って一連のＬＥＤ照明装置８・・・を間断なく連続的に取り付ける。そして、この一連のＬＥＤ照明装置８・・・の一端側のジョイントコネクター１３，１４を電源側配線のメス端子とオス端子とに接続して給電可能な状態とする。尚、この一連のＬＥＤ照明装置７の他端側では、ジョイントコネクターのオス端子１３とメス端子１４と互いに係合させればよい。
【００２２】
また、上記のように、一定長さのＬＥＤ照明装置８を所要本数、補助手摺り３の照明装置取付用凹溝７の一端側から他端側へその全長に亘って順次嵌め込んでいって、最後に嵌め込むＬＥＤ照明装置８が残りの凹溝７部分よりも長くなる場合は、その長い分だけその照明装置８の本体ケース９を切断し、不要のＬＥＤ基板１１を適宜に取り外して、接続配線１２を適宜調整すればよく、また逆に残りの凹溝７部分の長さが１本のＬＥＤ照明装置８より長い場合は、本体ケース９を所要長さに切断し、不要のＬＥＤ基板１１を取り外して、接続配線１２を適宜調整したＬＥＤ照明装置８を嵌め込むことによって、補助手摺り３の照明装置取付用凹溝７の全長に亘ってＬＥＤ照明装置８を一列状に間断なく連続的に取り付けることができる。
【００２３】
また、ＬＥＤ照明装置８の本体ケース９を補助手摺り３の照明装置取付用凹溝７に嵌合するにあたって、両側壁部１５，１６上端部の両係嵌突起２２，２３が図４の(b) に示すように外法幅Ｗａが照明装置取付用凹溝７の対向壁面７ａ，７ｂの内法幅Ｗｂよりも僅かに大きいため、両側壁部１５，１６の上端部側を凹溝７の対向壁面７ａ，７ｂに対して若干傾斜させた状態から照明装置取付用凹溝７に突入させて、係嵌突起２２，２３が凹溝７の壁面７ａ，７ｂに添わせながら押し込むことにより、係嵌突起２２，２３が壁面７ａ，７ｂの奥部に設けられた係嵌凹部２０，２１に係嵌し、本体ケース９は、凹溝７に対し抜け出し不能に固定される。
【００２４】
また、図２に示すように、本体ケース９の連結壁部１７は両側壁部１５，１６に対し直交するように形成されていることから、ＬＥＤ１０からの光はベランダ通路Ｔの室外寄り部分を照らすことになる。
【００２５】
以上、図１〜図５によって説明した実施形態の手摺りのように、補助手摺り３を、支柱１よりベランダ通路Ｔ側へ出っ張るように形成し、この補助手摺り３の下面側に多数のＬＥＤ１０を笠木長手方向に一定間隔に配設してなるＬＥＤ照明装置８を取り付け、このＬＥＤ照明装置８によって通路Ｔ部分を照らすようにしたから、例えばベランダで夜間に洗濯物を干すような場合に、ＬＥＤ１０を発光させることにより、室内の照明がカーテン等で遮断されていても、ベランダが明るくなって物干しが非常にやり易くなる。また、ＬＥＤ１０が補助手摺り３の下面側に設けてあるため、多層階集合住宅の場合には、ＬＥＤ１０からの光が、手摺りを越えて下階のベランダに漏れ出るような不都合がない。また補助手摺り３の下面側に設けたＬＥＤ照明装置８の使用によって、ベランダ以外の段差のある通路や階段では、歩行者の足元を的確に照らすことができるため、歩行者の安全を十分に確保できる。
【００２６】
また、ＬＥＤ照明装置８は、補助手摺り３の下面側にその長手方向に沿って凹設された照明装置取付用凹溝７に嵌合固定される長尺状の本体ケース９と、本体ケース９内にその長手方向に一定間隔に保持されて、夫々複数のＬＥＤ１０を定位置に配設した複数のＬＥＤ基板１１と、これらＬＥＤ基板１１を電気的に接続する接続配線１２と、接続配線１２の両端部に設けられたジョイントコネクター１３，１４とを備えたＬＥＤユニットからなるため、ＬＥＤ照明装置８の設置にあたっては、このＬＥＤ照明装置８からなるＬＥＤユニットを工場生産し、このＬＥＤユニットを設置現場において、手摺りの取付け後に、補助手摺り３の通路側出っ張り端部２ａに設けてある照明装置取付用凹溝７にワンタッチで嵌合固定でき、また現場での補助手摺り３の長さに応じてＬＥＤ照明装置８を所要数使用すると共に、本体ケース９を適当長さにカットして、夫々の両端部のあるジョイントコネクター１３，１４を接続すればよいから、簡単な施工によってＬＥＤ照明装置８を一列状に連続的に設置することができる。
【００２７】
そして、上記ＬＥＤ照明装置８の本体ケース９は、両側壁部１５，１６と、両側壁部１５，１６の下端部側どうしをつなぐ連結壁部１７と、連結壁部１７の下面の両側端部にＬＥＤ基板１１の両側端部が嵌合するように形成された両側一対の嵌合凹部１８，１９と、両側壁部１５，１６の夫々上側端部に外向きに突設されていて、照明装置取付用凹溝７の対向壁面７ａ，７ｂの夫々奥部に設けられた係嵌凹部２０，２１に係嵌する両側一対の係嵌突起２２，２３からなるもので、連結壁部１７の下面と両側一対の嵌合凹部１８，１９との間にＬＥＤ基板１１を嵌合して保持し、ＬＥＤ基板１１の下面に取り付けたＬＥＤ１０を両側一対の嵌合凹部１８，１９の間から発光できるようにしたから、本体ケース９の両側壁部１５，１６を補助手摺り３の照明装置取付用凹溝７に押し込むことにより、係嵌突起２２，２３が壁面７ａ，７ｂの奥部に設けられた係嵌凹部２０，２１に係嵌して、本体ケース９を、凹溝７に対し抜け出し不能に簡単に固定することができる。
【００２８】
図２ に示すようにＬＥＤ照明装置８の本体ケース９を補助手摺り３の下面側に設けた照明装置取付用凹溝７に嵌合固定した状態において、本体ケース９の連結壁部１７が両側壁部１５，１６と直交して、水平に位置するため、この連結壁部１７の下面に沿って取り付けられるＬＥＤ基板１１も水平に位置し、このＬＥＤ基板１１の下面に配設されるＬＥＤ１０も水平に位置することになり、従ってＬＥＤ基板１１のＬＥＤ１０から発光される光は、図示のようにほとんど垂直下方に投射され、ベランダ通路Ｔの室外寄り部分を照らすことになる。この場合も、ＬＥＤ１０が補助手摺り３の下面側に設けてあるため、多層階集合住宅の場合でも、ＬＥＤ１０からの光が、手摺りを通って下階のベランダに漏れ出るような不都合がない。
【符号の説明】
【００２９】
１            支柱
２            手摺り
３            補助手摺り枠
４            取付金具
５            円筒状本体
６            コ字枠部
７            照明装置取付用凹溝
７ａ          対向壁面
７ｂ          対向壁面
８            ＬＥＤ照明装置
９            本体ケース
１０          ＬＥＤ
１１          ＬＥＤ基板
１２          接続配線
１３，１４    ジョイントコネクター
１５，１６    本体ケースの側壁部
１７          本体ケースの連結壁部
１８，１９    本体ケースの嵌合凹部
２０，２１    係嵌凹部
２２，２３    本体ケースの係嵌突起
【図１】
0005628997.tif 000002
【図２】
0005628997.tif 000003
【図３】
0005628997.tif 000004
【図４】
0005628997.tif 000005
【図５】
0005628997.tif 000006